(57)【要約】【課題】ノズル面に寄与する洗浄液量を多くし、撥水膜の耐久性を向上させる。【解決手段】インクを吐出する複数のノズル１５１がマトリックス状に配置された複数のノズル領域１７４を有するノズルプレートを備えるインクジェットヘッド７２と、ノズルプレートを払拭する払拭装置と、を備え、ノズル領域１７４は撥水性を有しており、払拭装置の払拭方向と略平行で、ノズル領域１７４間に洗浄液保持領域１７６を有するインクジェットヘッド洗浄システムインクジェットヘッドのメンテナンス方法である。【選択図】図４
2013169651.tif 000002
【特許請求の範囲】
【請求項１】
インクを吐出する複数のノズルがマトリックス状に配置された複数のノズル領域を有するノズルプレートを備えるインクジェットヘッドと、
前記ノズルプレートを払拭する払拭装置と、を備え、
前記ノズル領域は撥水性を有しており、
前記払拭装置の払拭方向と略平行で、前記ノズル領域間に洗浄液保持領域を有するインクジェットヘッド洗浄システム。
【請求項２】
前記洗浄液保持領域は、前記ノズル領域より親水性を有する請求項１に記載のインクジェットヘッド洗浄システム。
【請求項３】
前記ノズル領域は、前記ノズルプレートの払拭方向と略平行で、分割後のそれぞれの前記ノズル領域の幅が等しくなるように分割されており、
前記ノズル領域間に前記洗浄液保持領域が配置される請求項１又は２に記載のインクジェットヘッド洗浄システム。
【請求項４】
前記ノズル領域は撥水膜を有しており、前記洗浄液保持領域は前記撥水膜の下地膜である請求項１から３のいずれか１項に記載のインクジェットヘッド洗浄システム。
【請求項５】
前記洗浄液保持領域は溝部を有する請求項１から４のいずれか１項に記載のインクジェットヘッド洗浄システム。
【請求項６】
前記溝部は、逆テーパ状に形成されている請求項５に記載のインクジェットヘッド洗浄システム。
【請求項７】
前記ノズルプレートのノズル面は、水平面に対して傾斜して配置されている請求項１から６のいずれか１項に記載のインクジェットヘッド洗浄システム。
【請求項８】
前記ノズルと前記洗浄液保持領域との距離が３００μｍ以上である請求項１から７のいずれか１項に記載のインクジェットヘッド洗浄システム。
【請求項９】
ワイプ方向に垂直な方向における前記ノズル間の距離が１００μｍ以上６００μｍ以下である請求項１から８のいずれか１項に記載のインクジェットヘッド洗浄システム。
【請求項１０】
前記払拭装置の払拭方向と略平行で、前記ノズルプレートの両端に、前記ノズル領域より撥水性の低いヘッドモジュール支持部材を有する請求項１から９のいずれか１項に記載のインクジェットヘッド洗浄システム。
【請求項１１】
請求項１から１０のいずれか１項に記載のインクジェットヘッド洗浄システムを用いたインクジェットヘッドのメンテナンス方法において、
インクジェットヘッドを移動させるヘッド移動工程と、
前記インクジェットヘッドのノズル面に洗浄液を付与する洗浄液付与工程と、
前記インクジェットヘッドの前記洗浄液保持部材に洗浄液を保持する洗浄液保持工程と、
前記洗浄液保持部材で保持された洗浄液を払拭部材で伝播させながら前記ノズルプレートを払拭する払拭工程と、を有するインクジェットヘッドのメンテナンス方法。
【発明の詳細な説明】
【技術分野】
【０００１】
本発明は、インクジェットヘッド洗浄システムおよびインクジェットヘッドのメンテナンス方法に係り、特にインクジェットヘッドのノズル面に洗浄液を保持する領域を設け、払拭部材によるノズル面の洗浄を容易にするインクジェットヘッド洗浄システムおよびインクジェットヘッドのメンテナンス方法に関する。
【背景技術】
【０００２】
インクジェット記録装置で用いられるインクジェットヘッドのノズル面には、使用によりインクの残渣、紙粉など様々な異物が付着する。ノズル面に異物が付着していると、ノズルから吐出されるインク液滴が影響を受けて、インク液滴の吐出方向にばらつきが生じ、記録媒体上の所定の位置にインク液滴を着弾させることが困難となり、画像品質が劣化する原因となる。そこで、インクジェット記録装置では、異物を定期的にワイピングなどのメンテナンス方法で除去することが重要となっている。
【０００３】
例えば、下記の特許文献１には、ノズル面に溶剤を噴射する噴射機構と、ノズル面を拭き取る拭き取り機構と、を備えるインクジェット塗布装置が記載されている。また、特許文献２、３には、４色ヘッドの払拭時の混色を防ぐ目的で、ノズル面に親水領域を設けることが記載されている。特許文献４には、ノズル面にインクの案内溝を設け、ワイプ時にインクが溝を通って、ノズル外に案内されるような溝配列が記載されている。
【先行技術文献】
【特許文献】
【０００４】
【特許文献１】特開２００６−１４２６２１号公報
【特許文献２】特開平８−５８０９６号公報
【特許文献３】特開２００１−３８９１７号公報
【特許文献４】特開２００７−７６２９６号公報
【発明の概要】
【発明が解決しようとする課題】
【０００５】
ノズル面のワイピングにおいて、インクの濃度が高い状態、特に黒インクに用いられるカーボンブラックの濃度が高い状態でワイピングを行なうと、ノズル面に形成された撥水膜が劣化しやすいという問題があった。そのため、ワイピング時に洗浄液の量を増やす必要があった。
【０００６】
しかしながら、特許文献１に記載されているインクジェット塗布装置は、洗浄液をノズル面に噴きつけて拭き取る方式であり、ノズル面には撥水膜が形成されているため、拭き取るときには、洗浄液がノズル面には残らず、洗浄液の量が少なくなっていた。そのため、ワイピングにより撥水膜が劣化してしまうという問題があった。また、特許文献２、３は、ミストをワイプする際の混色を防ぐために、親水領域を設けているが、ノズルが高密度に配置されている場合、ノズルとノズルの間に十分なスペースが無くなる。そのため、親水領域に付着したミストが、互いに結合し増大することにより、インク溜まりがノズルまで塞ぎ吐出曲がりや不吐出の問題が生じたり、増大したインクが紙面に付着するといった問題が発生していた。また、特許文献２については、ワイプ方向が親水部、撥水部にまたがっているため、その境界部を起点に撥水膜が剥がれたり、腐食が発生する危険性があり、特許文献４については、ワイプ方向に対して、垂直または所定の角度を有して親水領域（溝）が形成されているため、撥水膜の剥離が懸念されていた。
【０００７】
本発明はこのような事情に鑑みてなされたものであり、ノズル面のワイプ時に用いられる洗浄液量を多くすることで、撥水膜の耐久性を向上させることができるインクジェットヘッド洗浄システムおよびインクジェットヘッドのメンテナンス方法を提供することを目的とする。
【課題を解決するための手段】
【０００８】
本発明は前記目的を達成するために、インクを吐出する複数のノズルがマトリックス状に配置された複数のノズル領域を有するノズルプレートを備えるインクジェットヘッドと、ノズルプレートを払拭する払拭装置と、を備え、ノズル領域は撥水性を有しており、ノズル領域間の払拭装置の払拭方向と略平行で、ノズル領域間に洗浄液保持領域を有するインクジェットヘッド洗浄システムを提供する。
【０００９】
本発明によれば、ノズル領域間に洗浄液保持領域を有しているので、払拭装置でノズルプレートを拭き取る際に洗浄液保持領域で保持されている洗浄液を、払拭装置に備えられている払拭部材を伝播させてノズルプレートを洗浄することができる。また、洗浄液保持領域を払拭装置による払拭方向と略平行に設けているので、払拭装置によるノズル面への抵抗を減らすことができるので、撥水性（撥水膜）が劣化することを防止することができる。
【００１０】
本発明の他の態様に係るインクジェットヘッド洗浄システムは、洗浄液保持領域は、ノズル領域より親水性を有することが好ましい。
【００１１】
本発明の他の態様に係るインクジェットヘッド洗浄システムによれば、洗浄液保持領域をノズル領域より親水性とすることにより、洗浄液保持領域で洗浄液を保持することができる。
【００１２】
本発明の他の態様に係るインクジェットヘッド洗浄システムは、ノズル領域は、ノズルプレートの払拭方向と略平行で、分割後のそれぞれのノズル領域の幅が等しくなるように分割されており、ノズル領域間に洗浄液保持領域が配置されることが好ましい。
【００１３】
本発明の他の態様に係るインクジェットヘッド洗浄システムによれば、洗浄液保持領域は、ノズルプレートの払拭方向に対して垂直方向に等分割され、そのノズル領域間に洗浄液保持領域が配置されている。したがって、ノズルプレートの洗浄液が届き難い位置に洗浄液保持領域を設けることができる。したがって、払拭部材の洗浄液が少ない状態でノズルプレートを払拭することを防止することができる。
【００１４】
本発明の他の態様に係るインクジェットヘッド洗浄システムは、ノズル領域は撥水膜を有しており、洗浄液保持領域は撥水膜の下地膜であることが好ましい。
【００１５】
本発明の他の態様に係るインクジェットヘッド洗浄システムによれば、洗浄液保持領域を撥水膜の下地膜とすることで、一旦ノズル面の全面に撥水膜を形成した後、洗浄液保持手段のみ撥水膜を除去することで、洗浄液保持領域を形成することができるので、容易に形成することができる。
【００１６】
本発明の他の態様に係るインクジェットヘッド洗浄システムは、洗浄液保持領域は溝部を有することが好ましい。
【００１７】
本発明の他の態様に係るインクジェットヘッド洗浄システムによれば、洗浄液保持領域に溝部を有することで、溝部で洗浄液を保持することができるので、より多くの洗浄液を保持することができる。
【００１８】
本発明の他の態様に係るインクジェットヘッド洗浄システムは、溝部は、逆テーパ状に形成されていることが好ましい。
【００１９】
本発明の他の態様に係るインクジェットヘッド洗浄システムによれば、溝部を逆テーパ状としているので、洗浄液の保持性を高めることができる、また、ノズルの形成と同じ工程でウェットエッチングにより溝部を形成することができるので、工程を簡便にすることができ、コストを削減することができる。
【００２０】
本発明の他の態様に係るインクジェットヘッド洗浄システムは、ノズルプレートのノズル面は、水平面に対して傾斜して配置されていることが好ましい。
【００２１】
本発明の他の態様に係るインクジェットヘッド洗浄システムによれば、ノズル面が水平面に対して傾斜して配置されているため、傾斜の下方に洗浄液が流れ易くなるが、洗浄液保持領域で洗浄液を保持することで、ノズル面全面に洗浄液を付与して払拭することができる。
【００２２】
本発明に他の態様に係るインクジェットヘッド洗浄システムは、ノズルと洗浄液保持領域との距離が３００μｍ以上であることが好ましい。
【００２３】
本発明の他の態様に係るインクジェットヘッド洗浄システムによれば、ノズルと洗浄液保持手段との距離を上記距離とすることで、洗浄液保持領域に付着したインクによるノズル詰まりを防止することができる。
【００２４】
本発明の他の態様に係るインクジェットヘッド洗浄システムは、ワイプ方向に垂直な方向におけるノズル間の距離が１００μｍ以上６００μｍ以下であることが好ましい。
【００２５】
本発明の他の態様に係るインクジェットヘッド洗浄システムによれば、ノズル間の距離が上記範囲内であり、ノズル間に洗浄液保持領域を設けることが難しい高密度に配置されたノズルに対しても洗浄液保持領域を設けることができるので、ノズル面への洗浄液の付与量を多くすることができる。
【００２６】
本発明の他の態様に係るインクジェットヘッド洗浄システムは、払拭装置の払拭方向と略平行で、ノズルプレートの両端に、ノズル領域より撥水性の低いヘッドモジュール支持部材を有することが好ましい。
【００２７】
本発明の他の態様に係るインクジェットヘッド洗浄システムによれば、払拭装置の払拭方向と略平行で、ノズルプレートの両端に、ノズル領域より撥水性の低いヘッドモジュール支持部材を有するので、ノズル領域の両端および中央部から洗浄液を払拭部材で伝播させることができる。したがって、洗浄液の少ない状態でノズル面を払拭することを防止することができ、撥水膜の劣化を防止することができる。
【００２８】
本発明は前記目的を達成するために、上記記載のインクジェットヘッド洗浄システムを用いたインクジェットヘッドのメンテナンス方法において、インクジェットヘッドを移動させるヘッド移動工程と、インクジェットヘッドのノズル面に洗浄液を付与する洗浄液付与工程と、インクジェットヘッドの洗浄液保持部材に洗浄液を保持する洗浄液保持工程と、洗浄液保持部材で保持された洗浄液を払拭部材で伝播させながらノズルプレートを払拭する払拭工程と、を有するインクジェットヘッドのメンテナンス方法を提供する。
【００２９】
本発明によれば、インクジェットヘッドの洗浄液保持領域に洗浄液保持する洗浄液保持工程を有しているので、その後の払拭工程において、洗浄液保持領域で保持された洗浄液を、払拭部材を伝播させてノズルプレートを払拭させることができる。洗浄液保持手段は、ノズル領域間に有しているので、ノズル領域に洗浄液を確実に伝播させることができる。したがって、洗浄液の少ない状態で拭き取ることを防止することができるので、ノズルプレートの撥水性が劣化することを防止することができる。
【発明の効果】
【００３０】
本発明のインクジェットヘッド洗浄システムおよびインクジェットヘッドのメンテナンス方法によれば、インクジェットヘッドのノズルプレートの払拭部材の払拭方向と略平行に洗浄液保持領域を設けているので、洗浄液保持領域で保持された洗浄液を払拭部材に伝播させてノズル面を払拭することができるので、洗浄液の少ない状態でノズル面を拭き取ることを防止することができるので、ノズル面の撥水膜が劣化することを防止することができる。
【図面の簡単な説明】
【００３１】
【図１】インクジェット記録装置の全体構成図である。
【図２】インクジェット記録装置の描画部の概略構成を示す側面図である。
【図３】インクジェット記録装置の描画部の正面図である。
【図４】図１に示すインクジェットヘッドの構成例を示す平面拡大図である。
【図５】インクジェットヘッドのノズル面の平面透視図である。
【図６】溝部を有するノズル面の平面図である。
【図７】インクジェットヘッドの側面断面図である。
【図８】図３に示す洗浄液付与装置の概略構成を示す全体構成図である。
【図９】払拭装置をメンテナンス位置から見た側面図である。
【図１０】払拭ユニットの平面図である。
【図１１】払拭ユニットの正面部分断面図である。
【発明を実施するための形態】
【００３２】
以下、添付図面に従って、本発明の好ましい実施の形態について詳説する。
【００３３】
≪インクジェット記録装置の全体構成≫
まず、本発明が適用されるインクジェット記録装置の全体構成について説明する。図１は、インクジェット記録装置の全体構成を示した構成図である。
【００３４】
このインクジェット記録装置１０は、描画部１６の圧胴（描画ドラム７０）に保持された記録媒体２４（便宜上「用紙」と呼ぶ場合がある。）にインクジェットヘッド７２Ｍ，７２Ｋ，７２Ｃ，７２Ｙから複数色のインクを打滴して所望のカラー画像を形成する圧胴直描方式のインクジェット記録装置であり、インクの打滴前に記録媒体２４上に処理液（ここでは凝集処理液）を付与し、処理液とインク液を反応させて記録媒体２４上に画像形成を行う２液反応（凝集）方式が適用されたオンデマンドタイプの画像形成装置である。
【００３５】
図示のように、インクジェット記録装置１０は、主として、給紙部１２、処理液付与部１４、描画部１６、乾燥部１８、定着部２０、および排出部２２を備えて構成される。
【００３６】
（給紙部）
給紙部１２は、記録媒体２４を処理液付与部１４に供給する機構であり、当該給紙部１２には、枚葉紙である記録媒体２４が積層されている。給紙部１２には、給紙トレイ５０が設けられ、この給紙トレイ５０から記録媒体２４が一枚ずつ処理液付与部１４に給紙される。
【００３７】
本例のインクジェット記録装置１０では、記録媒体２４として、紙種や大きさ（用紙サイズ）の異なる複数種類の記録媒体２４を使用することができる。給紙部１２において各種の記録媒体をそれぞれ区別して集積する複数の用紙トレイ（不図示）を備え、これら複数の用紙トレイの中から給紙トレイ５０に送る用紙を自動で切り換える態様も可能であるし、必要に応じてオペレータが用紙トレイを選択し、若しくは交換する態様も可能である。なお、本例では、記録媒体２４として、枚葉紙（カット紙）を用いるが、連続用紙（ロール紙）から必要なサイズに切断して給紙する構成も可能である。
【００３８】
（処理液付与部）
処理液付与部１４は、記録媒体２４の記録面に処理液を付与する機構である。処理液は、描画部１６で付与されるインク中の色材（本例では顔料）を凝集させる色材凝集剤を含んでおり、この処理液とインクとが接触することによって、インクは色材と溶媒との分離が促進される。
【００３９】
図１に示すように、処理液付与部１４は、給紙胴５２、処理液ドラム５４、および処理液塗布装置５６を備えている。処理液ドラム５４は、記録媒体２４を保持し、回転搬送させるドラムである。処理液ドラム５４は、その外周面に爪形状の保持手段（グリッパー）５５を備え、この保持手段５５の爪と処理液ドラム５４の周面の間に記録媒体２４を挟み込むことによって記録媒体２４の先端を保持できるようになっている。処理液ドラム５４は、その外周面に吸着穴を設けるとともに、吸着穴から吸引を行う吸引手段を接続してもよい。これにより記録媒体２４を処理液ドラム５４の周面に密着保持することができる。
【００４０】
処理液ドラム５４の外側には、その周面に対向して処理液塗布装置５６が設けられる。処理液塗布装置５６は、処理液が貯留された処理液容器と、この処理液容器の処理液に一部が浸漬されたアニックスローラと、アニックスローラと処理液ドラム５４上の記録媒体２４に圧接されて計量後の処理液を記録媒体２４に転移するゴムローラとで構成される。この処理液塗布装置５６によれば、処理液を計量しながら記録媒体２４に塗布することができる。
【００４１】
処理液付与部１４で処理液が付与された記録媒体２４は、処理液ドラム５４から中間搬送部２６を介して描画部１６の描画ドラム７０へ受け渡される。
【００４２】
（描画部）
描画部１６は、描画ドラム（第２の搬送体）７０、用紙抑えローラ７４、およびインクジェットヘッド７２Ｍ，７２Ｋ，７２Ｃ，７２Ｙを備えている。描画ドラム７０は、処理液ドラム５４と同様に、その外周面に爪形状の保持手段（グリッパー）７１を備える。描画ドラム７０に固定された記録媒体２４は、記録面が外側を向くようにして搬送され、この記録面にインクジェットヘッド７２Ｍ，７２Ｋ，７２Ｃ，７２Ｙからインクが付与される。
【００４３】
インクジェットヘッド７２Ｍ，７２Ｋ，７２Ｃ，７２Ｙはそれぞれ、記録媒体２４における画像形成領域の最大幅に対応する長さを有するフルライン型のインクジェット方式の記録ヘッド（インクジェットヘッド）とすることが好ましい。インク吐出面には、画像形成領域の全幅にわたってインク吐出用のノズルが複数配列されたノズル列が形成されている。各インクジェットヘッド７２Ｍ，７２Ｋ，７２Ｃ，７２Ｙは、記録媒体２４の搬送方向（描画ドラム７０の回転方向）と直交する方向に延在するように設置される。
【００４４】
描画ドラム７０上に密着保持された記録媒体２４の記録面に向かって各インクジェットヘッド７２Ｍ，７２Ｋ，７２Ｃ，７２Ｙから、対応する色インクの液滴が吐出されることにより、処理液付与部１４で予め記録面に付与された処理液にインクが接触し、インク中に分散する色材（顔料）が凝集され、色材凝集体が形成される。これにより、記録媒体２４上での色材流れなどが防止され、記録媒体２４の記録面に画像が形成される。
【００４５】
なお、本例では、ＣＭＹＫの標準色（４色）の構成を例示したが、インク色や色数の組合せについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００４６】
描画部１６で画像が形成された記録媒体２４は、描画ドラム７０から中間搬送部２８を介して乾燥部１８の乾燥ドラム７６へ受け渡される。
【００４７】
（乾燥部）
乾燥部１８は、色材凝集作用により分離された溶媒に含まれる水分を乾燥させる機構であり、図１に示すように、乾燥ドラム７６、および溶媒乾燥装置７８を備えている。
【００４８】
乾燥ドラム７６は、処理液ドラム５４と同様に、その外周面に爪形状の保持手段（グリッパー）７７を備え、この保持手段７７によって記録媒体２４の先端を保持できるようになっている。
【００４９】
溶媒乾燥装置７８は、乾燥ドラム７６の外周面に対向する位置に配置され、複数のＩＲヒータ８２と、各ＩＲヒータ８２の間にそれぞれ配置された温風噴出しノズル８０とで構成される。
【００５０】
各温風噴出しノズル８０から記録媒体２４に向けて吹き付けられる温風の温度と風量、各ＩＲヒータ８２の温度を適宜調節することにより、様々な乾燥条件を実現することができる。
【００５１】
また、乾燥ドラム７６の表面温度は５０℃以上に設定されている。記録媒体２４の裏面から加熱を行うことによって乾燥が促進され、定着時における画像破壊を防止することができる。なお、乾燥ドラム７６の表面温度の上限については、特に限定されるものではないが、乾燥ドラム７６の表面に付着したインクをクリーニングするなどのメンテナンス作業の安全性（高温による火傷防止）の観点から７５℃以下（より好ましくは６０℃以下）に設定されることが好ましい。
【００５２】
乾燥ドラム７６の外周面に、記録媒体２４の記録面が外側を向くように（即ち、記録媒体２４の記録面が凸側となるように湾曲させた状態で）保持し、回転搬送しながら乾燥することで、記録媒体２４のシワや浮きの発生を防止でき、これらに起因する乾燥ムラを確実に防止することができる。
【００５３】
乾燥部１８で乾燥処理が行われた記録媒体２４は、乾燥ドラム７６から中間搬送部３０を介して定着部２０の定着ドラム８４へ受け渡される。
【００５４】
（定着部）
定着部２０は、定着ドラム８４、ハロゲンヒータ８６、定着ローラ８８、およびインラインセンサ９０で構成される。定着ドラム８４は、処理液ドラム５４と同様に、その外周面に爪形状の保持手段（グリッパー）８５を備え、この保持手段８５によって記録媒体２４の先端を保持できるようになっている。
【００５５】
定着ドラム８４の回転により、記録媒体２４は記録面が外側を向くようにして搬送され、この記録面に対して、ハロゲンヒータ８６による予備加熱と、定着ローラ８８による定着処理と、インラインセンサ９０による検査が行われる。
【００５６】
ハロゲンヒータ８６は、所定の温度（例えば、１８０℃）に制御される。これにより、記録媒体２４の予備加熱が行われる。
【００５７】
定着ローラ８８は、乾燥させたインクを加熱加圧することによってインク中の自己分散性熱可塑性樹脂微粒子を溶着し、インクを皮膜化させるためのローラ部材であり、記録媒体２４を加熱加圧するように構成される。具体的には、定着ローラ８８は、定着ドラム８４に対して圧接するように配置されており、定着ドラム８４との間でニップローラを構成するようになっている。これにより、記録媒体２４は、定着ローラ８８と定着ドラム８４との間に挟まれ、所定のニップ圧（例えば、０．１５ＭＰａ）でニップされ、定着処理が行われる。
【００５８】
また、定着ローラ８８は、熱伝導性の良いアルミなどの金属パイプ内にハロゲンランプを組み込んだ加熱ローラによって構成され、所定の温度（たとえば６０〜８０℃）に制御される。この加熱ローラで記録媒体２４を加熱することによって、インクに含まれる熱可塑性樹脂微粒子のＴｇ温度（ガラス転移点温度）以上の熱エネルギーが付与され、熱可塑性樹脂微粒子が溶融される。これにより、記録媒体２４の凹凸に押し込み定着が行われるとともに、画像表面の凹凸がレベリングされ、光沢性が得られる。
【００５９】
なお、図１の実施形態では、定着ローラ８８を１つだけ設けた構成となっているが、画像層厚みや熱可塑性樹脂微粒子のＴｇ特性に応じて、複数段設けた構成でもよい。
【００６０】
一方、インラインセンサ９０は、記録媒体２４に定着された画像について、チェックパターンや水分量、表面温度、光沢度などを計測するための計測手段であり、ＣＣＤラインセンサなどが適用される。
【００６１】
上記の如く構成された定着部２０によれば、乾燥部１８で形成された薄層の画像層内の熱可塑性樹脂微粒子が定着ローラ８８によって加熱加圧されて溶融されるので、記録媒体２４に固定定着させることができる。また、定着ドラム８４の表面温度を５０℃以上に設定することで、定着ドラム８４の外周面に保持された記録媒体２４を裏面から加熱することによって乾燥が促進され、定着時における画像破壊を防止することができるとともに、画像温度の昇温効果によって画像強度を高めることができる。
【００６２】
また、インク中にＵＶ硬化性モノマーを含有させた場合は、乾燥部で水分を充分に揮発させた後に、ＵＶ照射ランプを備えた定着部で、画像にＵＶを照射することで、ＵＶ硬化性モノマーを硬化重合させ、画像強度を向上させることができる。
【００６３】
（排出部）
図１に示すように、定着部２０に続いて排出部２２が設けられている。排出部２２は、排出トレイ９２を備えており、この排出トレイ９２と定着部２０の定着ドラム８４との間に、これらに対接するように渡し胴９４、搬送ベルト９６、張架ローラ９８が設けられている。記録媒体２４は、渡し胴９４により搬送ベルト９６に送られ、排出トレイ９２に排出される。
【００６４】
また、図には示されていないが、本例のインクジェット記録装置１０には、上記構成の他、各インクジェットヘッド７２Ｍ，７２Ｋ，７２Ｃ，７２Ｙにインクを供給するインク貯蔵／装填部、処理液付与部１４に対して処理液を供給する手段を備えるとともに、各インクジェットヘッド７２Ｍ，７２Ｋ，７２Ｃ，７２Ｙのクリーニング（ノズル面のワイピング、パージ、ノズル吸引等）を行うヘッドメンテナンス部や、用紙搬送路上における記録媒体２４の位置を検出する位置検出センサ、装置各部の温度を検出する温度センサなどを備えている。
【００６５】
≪メンテナンス部の構成≫
次にメンテナンス部の説明をする。図２は、インクジェット記録装置の描画部の概略構成を示す側面図である。
【００６６】
描画ドラム７０は、その回転軸２１８の両端部を一対の軸受２２２に軸支されて回転自在に設けられている（図３参照）。一対の軸受２２２は、インクジェット記録装置の本体フレーム２２０に設けられており、この一対の軸受２２２に回転軸２１８の両端部が軸支されることにより、描画ドラム７０は水平に取り付けられる（水平な設置面に対して回転軸２１８が平行に取り付けられる。）。
【００６７】
描画ドラム７０の回転軸２１８には、図示しない回転伝達機構を介してモータが連結されている。描画ドラム７０は、このモータに駆動されて回転する。
【００６８】
４本のインクジェットヘッド７２Ｍ、７２Ｋ、７２Ｃ、７２Ｙは、描画ドラム７０の回転軸２１８を中心とした同心円上に一定の間隔をもって放射状に配置されている。なお、本例では、４本のインクジェットヘッド７２Ｍ、７２Ｋ、７２Ｃ、７２Ｙが、描画ドラム７０を挟んで左右対称になるように配置されている。すなわち、描画ドラム７０の中心を通る鉛直な線分に対してマゼンタのインクジェットヘッド７２Ｍとイエロのインクジェットヘッド７２Ｙとが左右対称に配置されるとともに、クロのインクジェットヘッド７２Ｋとシアンのインクジェットヘッド７２Ｃとが左右対称に配置されている。
【００６９】
このように配置された各インクジェットヘッド７２Ｍ、７２Ｋ、７２Ｃ、７２Ｙは、それぞれその下端部に形成されたノズル面７２ＡＭ、７２ＡＫ、７２ＡＣ、７２ＡＹが、描画ドラム７０の外周面に対向して配置されるとともに、それぞれそのノズル面７２ＡＭ、７２ＡＫ、７２ＡＣ、７２ＡＹが、描画ドラム７０の外周面から所定高さの位置に位置する（描画ドラム７０の外周面とノズル面７２ＡＭ、７２ＡＫ、７２ＡＣ、７２ＡＹとの間に同じ量のギャップが形成される。）。また、そのノズル面７２ＡＭ、７２ＡＫ、７２ＡＣ、７２ＡＹに形成されたノズル列が、記録媒体２４の搬送方向と直交して配置される。
【００７０】
さて、以上のように構成される描画部において各インクジェットヘッド７２Ｍ、７２Ｋ、７２Ｃ、７２Ｙは、図２に示すように、ヘッド支持フレーム２４０に取り付けられて、描画ドラム７０の周囲に配置される。
【００７１】
ヘッド支持フレーム２４０は、描画ドラム７０の回転軸２１８と直交して設けられた一対のサイドプレート２４２Ｌ、２４２Ｒと、その一対のサイドプレート２４２Ｌ、２４２Ｒを上端部で連結する連結フレーム２４４とで構成されている。
【００７２】
一対のサイドプレート２４２Ｌ、２４２Ｒは、板状に形成されており、描画ドラム７０を挟んで互いに対向するように配置されている。この一対のサイドプレート２４２Ｌ、２４２Ｒの内側には、各インクジェットヘッド７２Ｍ、７２Ｋ、７２Ｃ、７２Ｙを取り付けるための取付部２４６Ｍ、２４６Ｋ、２４６Ｃ、２４６Ｙが設けられている（図３では、便宜上、取付部２４６Ｙのみ図示）。
【００７３】
取付部２４６Ｃ、２４６Ｍ、２４６Ｙ、２４６Ｋは、描画ドラム７０の回転軸２１８を中心とした同心円上に一定の間隔をもって放射状に配置されている。各インクジェットヘッド７２Ｍ、７２Ｋ、７２Ｃ、７２Ｙは、その両端に形成された被取付部２４８Ｍ、２４８Ｋ、２４８Ｃ、２４８Ｙ（図３では、便宜上、被取付部２４８Ｙのみ図示）を取付部２４６Ｍ、２４６Ｋ、２４６Ｃ、２４６Ｙに固定することにより、ヘッド支持フレーム２４０に取り付けられる。そして、このヘッド支持フレーム２４０に取り付けられることにより、各インクジェットヘッド７２Ｍ、７２Ｋ、７２Ｃ、７２Ｙが、描画ドラム７０の回転軸２１８を中心とした同心円上に一定の間隔をもって放射状に配置される。
【００７４】
ヘッド支持フレーム２４０は、図示しないガイドレールにガイドされて、描画ドラム７０の回転軸２１８と平行にスライド移動自在に設けられている。そして、図示しないリニア駆動機構（たとえば、送りネジ機構など）に駆動されて、図３に実線で示す「画像記録位置」と図３に破線で示す「メンテナンス位置」との間を移動する。
【００７５】
各インクジェットヘッド７２Ｍ、７２Ｋ、７２Ｃ、７２Ｙは、ヘッド支持フレーム２４０を画像記録位置に位置させると、描画ドラム７０の周囲に配置され、画像記録可能な状態になる。
【００７６】
メンテナンス位置は、各インクジェットヘッド７２Ｍ、７２Ｋ、７２Ｃ、７２Ｙが描画ドラム７０から退避する位置に設定される。このメンテナンス位置には、各インクジェットヘッド７２Ｍ、７２Ｋ、７２Ｃ、７２Ｙを保湿するための保湿ユニット２５０が設けられる。
【００７７】
保湿ユニット２５０には、各インクジェットヘッド７２Ｍ、７２Ｋ、７２Ｃ、７２Ｙのノズル面を覆うキャップ２５２Ｍ、２５２Ｋ、２５２Ｃ、２５２Ｙ（図３では、便宜上、キャップ２５２Ｙのみ図示）が備えられている。装置を長時間停止する場合などは、このキャップ２５２Ｍ、２５２Ｋ、２５２Ｃ、２５２Ｙでノズル面が覆われる。これにより、乾燥による不吐出が防止される。
【００７８】
なお、このキャップ２５２Ｍ、２５２Ｋ、２５２Ｃ、２５２Ｙには、図示しない加圧・吸引機構が備えられており、ノズル内を加圧・吸引できるように構成されている。
【００７９】
また、このキャップ２５２Ｍ、２５２Ｋ、２５２Ｃ、２５２Ｙには、図示しない洗浄液供給機構が備えられており、内部に洗浄液を供給できるように構成されている。
【００８０】
キャップ２５２Ｍ、２５２Ｋ、２５２Ｃ、２５２Ｙの下方位置には廃液トレイ２５４が配置されている。キャップ２５２Ｍ、２５２Ｋ、２５２Ｃ、２５２Ｙに供給された洗浄液は、この廃液トレイ２５４に廃棄され、廃液回収配管２５６を介して廃液タンク２５８に回収される。
【００８１】
画像記録位置とメンテナンス位置との間には、各インクジェットヘッド７２Ｍ、７２Ｋ、７２Ｃ、７２Ｙのノズル面７２ＡＭ、７２ＡＫ、７２ＡＣ、７２ＡＹを清掃するためのノズル面清掃装置２６０が設けられている。各インクジェットヘッド７２Ｍ、７２Ｋ、７２Ｃ、７２Ｙは、メンテナンス位置から画像記録位置に移動する過程で、または、画像記録位置からメンテナンス位置に移動する過程で、このノズル面清掃装置２６０によってノズル面７２ＡＭ、７２ＡＫ、７２ＡＣ、７２ＡＹが清掃される。
【００８２】
図４は、インクジェットヘッド７２の構造例を示す平面図であり、インクジェットヘッド７２をノズル面７２Ａ側から見た図である。図４に示すように、インクジェットヘッド７２は、ｎ個のヘッドモジュール７２−ｉ（ｉ＝１、２、３、…、ｎ）を長手方向（記録媒体２４（図１参照）の搬送方向と直交する方向）に沿ってつなぎ合わせた構造を有し、記録媒体の全幅に対応する長さにわたって複数のノズル（図４中不図示）が設けられている。
【００８３】
ノズル面７２Ａには、ノズル１５１が形成されているノズル領域１７４と、洗浄液保持領域１７６と、から形成されている。洗浄液保持領域１７６は、下記に示すノズル面払拭装置２６４の払拭方向と略平行で、ノズル領域１７４間に設けられている。
【００８４】
ノズル領域１７４には、インクの付着を防止するため、撥水膜が形成されている。撥水膜を形成することにより、ノズル領域１７４にインクが付着することを防止し、インク液滴の吐出方向にばらつきが生じることを防止することができる。
【００８５】
撥水膜を形成する方法としては、フルオロアルキルシランを真空蒸着法で蒸着させる方法、低分子のシロキサンをプラズマ重合させてフッ素含有プラズマ重合膜、シリコン系プラズマ重合撥水膜などを形成する方法、フッ化炭素鎖を有するシランカップリング剤を付与する方法を用いることができる。
【００８６】
フッ素シランカップリング剤（塩素系、メトキシ型、エトキシ型、イソシアナ型など）を用いて撥液性を有する膜を形成する方法として、たとえば、物理的気相成長方（蒸着法、スパッタリング法など）や化学気相成長法（ＣＶＤ法、ＡＬＤ法など）などのドライプロセス法や、ゾルゲル法、塗布法、スピンコート法などのウェットプロセス法などによって形成することができる。
【００８７】
ノズル領域１７４が撥水性であるのに対し、洗浄液保持領域１７６は親水性とする。すなわち、洗浄液保持領域１７６はノズル領域１７４より親水性を有することが好ましい。洗浄液保持領域１７６を親水性とすることにより、洗浄液保持領域１７６で洗浄液を保持することができるので、ノズル面払拭装置２６４で払拭する際に、洗浄液保持領域１７６で保持された洗浄液をノズル面払拭装置２６４の払拭部材に伝播させ、ウエットな状態でノズル面の払拭を行なうことができる。また、洗浄液の量を増やすことができるので、ノズル面でのインク濃度を下げることができるので、撥水膜の耐久性を向上させることができる。
【００８８】
ノズル領域１７４に形成されているノズル１５１から洗浄液保持領域１７６との最も短い距離は、３００μｍ以上とすることが好ましい。ノズル１５１と洗浄液保持領域１７６との距離が、上記範囲未満であると、親水性である洗浄液保持領域１７６にインクの付着、インク溜まりが形成され、このインク溜まりがノズルを塞ぎ、吐出曲がりや不吐出の問題が発生することが懸念される。ノズルと洗浄液保持領域１７６との距離を上記範囲以上とすることで、吐出曲がりや不吐出が発生することを防止することができる。
【００８９】
また、洗浄液保持領域の位置は、ノズル面払拭装置２６４の払拭方向に対して略平行に設けられていることが好ましい。洗浄液保持領域の位置を平行に設ける、すなわち、ノズル領域１７４に形成されている撥水膜を払拭方向と平行に設けることができるので、ノズル面払拭装置による払拭で、撥水膜が剥離することを防止することができる。なお、本発明において、「略平行」とは、ノズル面払拭装置２６４の払拭方向に対して、±５°以内の角度で傾いている範囲を含むものである。
【００９０】
また、洗浄液保持領域１７６は、ノズル面払拭装置２６４の払拭方向と略平行で、ノズル面７２Ａのノズル領域１７４の幅が等しくなるように均等に分割し、そのノズル領域１７４間に設けることが好ましい。ノズル領域１７４を２分割する場合は、ノズル面７２Ａの中央に配置されていることが好ましい。ヘッドモジュール７２−ｉは、インクジェットヘッド７２の両側からヘッドモジュール支持部材７２Ｂ（以下、「ウイングカバー部」ともいう）によって支持されている。このウイングカバー部７２Ｂは、例えば、エポキシ樹脂により形成されており、エポキシ基はノズル面の撥水膜よりも親水性を有するため、ウイングカバー部７２Ｂで洗浄液を保持することができる。したがって、ノズル面７２Ａの両端からは、ウイングカバー部７２Ｂで保持された洗浄液を伝播させることができる。したがって、洗浄液の量は、ノズル面７２Ａの中央部が最も少なくなるため、ノズル面７２Ａの中央部に洗浄液保持領域１７６を設けることで、ノズル領域１７４の洗浄液保持領域１７６側に洗浄液を供給することができるので、洗浄液の少ない払拭部材で撥水膜を払拭することを防止でき、撥水膜の剥離を防止することができる。
【００９１】
このように、ノズル面７２Ａ、および、ウイングカバー部７２Ｂに液体が付着すると、液体は、ウイングカバー部７２Ｂで保持される。また、ノズル面７２Ａに設けられた洗浄液保持領域１７６で液体が保持される。ノズル領域１７４の水に対する接触角は、たとえば、１００°以上とすることができ、ウイングカバー部７２Ｂおよび洗浄液保持領域１７６の水に対する接触角は、たとえば、約６０°とすることができる。また、ノズル面の配列方向の端部を形成するエンドキャップ７２Ｄもウイングカバー部７２Ｂと同様に、親水性で形成され洗浄液が保持され易い構成とすることが好ましい。
【００９２】
図５は、インクジェットヘッドノズル面の平面透視図である。なお、各インクジェットヘッド７２Ｍ、７２Ｋ、７２Ｃ、７２Ｙの構成は共通しているので、ここではインクジェットヘッド７２として、そのノズル面７２Ａの構成を説明する。
【００９３】
同図に示すように、ノズル面７２Ａは、略平行四辺形に形成され、その幅方向（記録媒体搬送方向）に複数のノズル１５１が形成されている。ノズルプレート７３は、略並行四辺形のＳｉ基板でできており、ノズル１５１はウェットエッチングなどで開口することができる。また、ノズル１５１は、記録媒体の幅に対応して複数配列されて設けられている。
【００９４】
図５に示すように、本実施の形態のインクジェットヘッド７２は、いわゆるマトリックスヘッドで構成され、ノズル１５１がノズルプレート７３に二次元マトリクス状に配置される。より具体的には、記録媒体２４の搬送方向に対して所定角度傾斜した方向に複数のノズル１５１が一定ピッチで配置されたノズルの列が形成されるとともに、そのノズルの列が記録媒体２４の搬送方向と直交する方向（ヘッドの長手方向）に一定ピッチで多数配列される。このようなノズルの配置構成とすることにより、ヘッドの長手方向（記録媒体２４の搬送方向と直交する方向）に投影される実質的なノズル１５１の間隔を狭めることができ、ノズル１５１の高密度化を図ることができる。マトリックスヘッドでは、このヘッドの長手方向に投影されるノズルの列が実質的なノズル列とされる。
【００９５】
また、本実施の形態のインクジェットヘッド７２は、いわゆるピエゾ方式でノズル１５１からインクの液滴を吐出させる。すなわち、ノズル面７２Ａに形成された各ノズル１５１は、それぞれ圧力室１５２に連通されており、この圧力室１５２の壁面をピエゾ素子で振動させることにより、圧力室１５２の容積を拡縮させて、ノズル１５１からインクの液滴を吐出させる。
【００９６】
なお、インクの吐出方式は、これに限らずサーマル方式や静電アクチュエーターで吐出させる構成とすることもできる。
【００９７】
図１に示すインクジェット記録装置においては、上述したように、インクジェットヘッドは傾いて形成されている。したがって、ノズル面７２Ａに洗浄液保持領域が無い場合は、洗浄液をノズル面７２Ａに付与した場合、ノズルに残ったインクミストは洗い流すが、ノズル面払拭装置２６４を用いて払拭を行なう際にノズル面７２Ａには、洗浄液が残らず、払拭後にはノズルから引き出したインクにより、比較的濃い顔料濃度でノズル面がワイプされてしまう。特に、顔料黒インクの場合は、顔料としてカーボンが使用されているため、ワイプ時の撥水膜へのダメージが大きく、撥水膜がワイプ下流方向に剥離し、インク吐出方向が曲がるという問題があった。
【００９８】
そのため、ワイプ時に寄与する洗浄液の量を増やす必要があるが、ノズル面７２Ａが全面撥水である場合には洗浄液を貯めることが難しいため、ノズル面７２Ａよりも撥液性の低いウイングカバー部７２Ｂに洗浄液を保持することで、布製の払拭部材に洗浄液を染みこませ洗浄液を増やすことが行われている。しかしながら、インクジェットヘッド７２が傾いて配置されている場合、傾き上流側のウイングカバー部７２Ｂの洗浄液は払拭部材に染みこんだ後、傾き下流側に流れていくが、傾き下流側のウイングカバー部７２Ｂの洗浄液は払拭部材に染みこんだ後、傾き上流側に流れていきにくい。傾き下流側のウイングカバー部７２Ｂへの洗浄液の保持量を増やすことで対応することもできるが、洗浄液を増やしすぎると払拭部材で吸収しきれずに、払拭後においてもウイングカバー部７２Ｂに洗浄液が残ってしまい、記録媒体２４への液ダレなどの問題が生じる。そのため、インクジェットヘッドの傾き下流側には、ワイプに寄与する洗浄液の量が少なくなってしまい、撥液膜の劣化を引き起こしていた。
【００９９】
また、傾きがない場合においても、ノズル面７２Ａが撥水性、ウイングカバー部７２Ｂが親水性であるために、洗浄液がウイングカバー部７２Ｂに引き寄せられてしまうため、ノズル面７２Ａにはほとんど洗浄液が残らない。そのため、ウイングカバー部７２Ｂから離れているノズルプレート中央部分で洗浄液が不足する傾向にある。
【０１００】
本実施形態においては、ノズル面７２Ａ内のノズル領域１７４間で、払拭方向に平行な洗浄液保持領域１７６を、ノズル面払拭装置２６４の払拭方向に対して垂直方向で、ノズル面７２Ａの中央に洗浄液保持領域１７６を有している。したがって、ウイングカバー部７２Ｂからからの洗浄液が伝播しにくい位置に洗浄液保持領域１７６を設けているので、ノズル面７２Ａの全域に洗浄液を伝播させることができ、ウエットな状態でノズル面７２Ａを払拭することができる。
【０１０１】
洗浄液保持領域１７６は、図４に示すように、複数に分かれたノズル領域１７４の間に形成されている。図４においては、ノズル領域１７４を２つに分け、その間に洗浄液保持領域１７６が形成されているが、図５に示すように、マトリックス配列によりノズル列を形成できるように、ノズル１５１を配列することができれば、ノズル領域１７４の数は限定されず、３つ以上に分けることもできる。なお、３つ以上に分けた場合においても、払拭方向と略平行で、ノズル領域１７４間に洗浄液保持領域１７６が形成されていることが好ましい。また、ノズル領域１７４のそれぞれの幅も等しいことが好ましい。
【０１０２】
また、図５に示すように、本実施形態においてはノズルが高密度に形成されている。ノズル間の距離はワイプ方向と垂直な方向に対して１００μｍ以上６００μｍ以下の範囲である。このように、ノズルが高密度に形成されていると、ノズル１５１の１つ１つの間に洗浄液保持領域を設けることは困難である。また、ノズル１５１に近い領域に洗浄液保持領域１７６を設けると、洗浄液保持領域１７６は親水性であるため、ミストが溜まりやすくインク溜まりとなり、それがノズルまで覆ってしまい、吐出曲がりの原因となってしまう。
【０１０３】
親水領域では、撥水領域との境界で液体が保持されるため、洗浄液保持領域の面積が大きいほど、単位面積当たりの洗浄液の保持量を多くすることができる。したがって、ノズル１５１同士の間で洗浄液保持領域１７６を設けても面積が小さくなってしまうが、本実施形態によれば、ノズル領域１７４間で親水領域である洗浄液保持領域１７６を形成しているので、洗浄液保持領域１７６の面積を大きくすることができる。したがって、保持できる洗浄液の量も増やすことができる。
【０１０４】
また、洗浄液保持領域１７６を、ノズル面払拭装置２６４の払拭方向と平行となるように形成しているため、均一に洗浄液を払拭部材に付与することができる。また、払拭方向に異なる表面張力の領域があると、境界部分で劣化が起きやすくなる。洗浄液保持領域１７６は、ノズル領域１７４より親水性にすることで、洗浄液の保持を可能としているので、洗浄液保持領域１７６を払拭方向と平行に形成することにより、表面張力が異なる境界が払拭方向に形成されることがないので、撥水膜の劣化を防ぐことができる。
【０１０５】
洗浄液保持領域１７６は、液体を付着しやすくするため、親水性としており、洗浄液保持領域１７６は、ノズル領域１７４より撥液性の小さい材料で形成されている。撥液性の小さい材料としては。例えば、基材であるＳｉ、ＳｉＯ２、または、金属酸化膜や、プラズマ重合膜などの撥水膜の下地膜とすることができる。また、ポリイミド、ポリエチレンテレフタレートなどの材料でコーティングすることで、親水性を付与することができる。特に、撥水膜の下地膜とすることで、保持性の高い親水領域を簡易に作製することができる。
【０１０６】
また、洗浄液保持領域１７６に溝部１７８を設けることで、洗浄液の保持性を向上させることができる。図６は、溝部１７８を有する洗浄液保持領域１７６をノズル面７２Ａ側から見た平面図である。
【０１０７】
図６に示すように、洗浄液保持領域１７６に溝部１７８を設けることで、溝部１７８で洗浄液を保持することができるので、洗浄液保持領域１７６での洗浄液の保持量を増やすことができる。溝部１７８の形状としては、図６（ａ）に示すように、ノズルプレートの端部から連続的に溝部１７８を形成することもできる。また、図６（ｂ）に示すように、溝部１７８が連続的でなく、洗浄液保持領域１７６内で部分的に形成されていてもよい。また、図６（ｃ）に示すように、穴状の溝部とすることもできる。穴状の溝部の場合、図６（ｃ）においては、円形の溝部であるが、形状は限定されず、四角形とすることもできる。また、図６（ｄ）に示すように、洗浄液保持領域１７６全域を溝部１７８とすることもできる。洗浄液保持領域１７６全域を溝部１７８とすることにより、多くの洗浄液を保持することができる。
【０１０８】
図７はインクジェットヘッド７２の側面断面図である。なお、図７においては、ノズル１５１を省略して記載する。溝部１７８の断面は特に限定されないが、図７に示すように、逆テーパ形状とすることが好ましい。逆テーパ形状とすることにより、溝部１７８で保持された液体が、払拭部材に接触するまで、溝部１７８から抜けることを防止することができるので、液体の保持性を向上させることができる。
【０１０９】
溝部１７８の形成方法は特に限定されないが、溝部１７８の形状を逆テーパ形状とすることで、ノズル形成時に同時に、ウェットエッチングにより溝部１７８を形成することができる。ノズルと同時に形成することで、工程を簡便にすることができ、コストを削減することができる。
【０１１０】
また、溝部１７８を、図６（ｄ）に示すように、洗浄液保持領域１７６全域に設ける場合は、ノズル面７２Ａ全面に撥水膜を保護する保護部材（保護テープ）を貼り付けた状態で、ノズルプレートの側面からプラズマ処理を施すことで、溝部１７８の撥水膜を除去することができる。したがって、溝部１７８を撥水膜の下地膜とすることができ、溝部１７８を容易に親水性とすることができる。
【０１１１】
≪洗浄液付与装置の構成≫
図８は、洗浄液付与装置２６２の概略構成図である。同図はフルライン型のインクジェットヘッド７２の幅方向（副走査方向）から見た図であり、同図における紙面を貫く方向はインクジェットヘッド７２の長手方向（記録媒体搬送方向と直交する主走査方向）である。
【０１１２】
洗浄液付与装置２６２は、インクジェットヘッド７２のノズル面７２Ａに塗布する洗浄液が保持される洗浄液保持面２６２Ａを有し、該洗浄液保持面２６２Ａに洗浄液を供給する洗浄液供給口２６３が洗浄液保持面２６２Ａの傾斜の上部２６２Ｂにおける端部近傍に設けられる。また、洗浄液付与装置２６２には、洗浄液を貯留する洗浄液タンク２７１と、洗浄液保持面２６２Ａへの洗浄液の供給量（単位時間あたりの洗浄液供給量）を制御するポンプ２６５と、を具備している。
【０１１３】
インクジェットヘッド７２のノズル面７２Ａと洗浄液保持面２６２Ａの間に、洗浄液供給口２６３から流し込まれたわずかな量の洗浄液は、ノズル面７２Ａの撥液性を利用して濡れ広がるとともに、ノズル面７２Ａと洗浄液保持面２６２Ａとの間にメニスカスを形成しながら傾斜面を滑り落ちる。図８に符号Ｆを付した白抜き矢印線は、洗浄液のコート層２６１の移動方向（図８における左下方向）を示している。
【０１１４】
洗浄液保持面２６２Ａの傾斜面を滑り落ちた洗浄液は、洗浄液保持面２６２Ａの傾斜の下部２６２Ｃに設けられた回収トレイ２６６に落下する。回収トレイ２６６に集められた使用済みの洗浄液は、ポンプ２６７を動作させると、フィルタ２６８を介して洗浄液タンク２７１に送液され、再利用される。
【０１１５】
洗浄液が、ノズル面７２Ａと洗浄液保持面２６２Ａとの間にメニスカスを形成しながら傾斜面を滑り落ちるためには、ノズル面の表面性（接触角）、洗浄液保持面の表面性（接触角）、洗浄液の物性（粘度）、洗浄液の流速（単位時間あたりの供給量）、洗浄液供給口の形状、サイズ、を適宜最適化する必要がある。
【０１１６】
洗浄液保持面２６２Ａは、金属材料（例えば、ステンレス）や樹脂材料が適用される。さらに、洗浄液保持面２６２Ａに対する洗浄液の接触角が８０°以上となる表面性を有する態様が好ましい。なお、洗浄液保持面２６２Ａはノズル面７２Ａとの間に所定のクリアランスを維持することができればノズル面７２Ａに対して傾いていてもよいし、ノズル面７２Ａと洗浄液保持面２６２ＡとのクリアランスＨが１ｍｍ以上２ｍｍ以下の条件を満たすことができれば平面だけでなく球面や湾曲面としてもよい。
【０１１７】
洗浄液供給口２６３は洗浄液付与装置２６２の内部に形成される不図示の内部流路と連通している。該流路は洗浄液付与装置２６２の底面に設けられる不図示の洗浄液流入口及び該洗浄液流入口と連通する所要の外部流路を介してポンプ２６５と接続される。ポンプ２６５は、洗浄液タンク２７１と所要の外部流路を介して接続されて、洗浄液の供給量を制御する手段として機能している。ポンプ２６５を動作させると、洗浄液タンク２７１から洗浄液を汲み上げるとともに、洗浄液供給口２６３に所定量の洗浄液が供給される。図８に符号Ｓを付して図示した白抜き矢印線は、洗浄液付与装置２６２の内部における洗浄液の移動方向を表している。
【０１１８】
かかる構造を有する洗浄液付与装置２６２を、ノズル面７２Ａと洗浄液保持面２６２Ａとの間に洗浄液のコート層２６１を保持した状態を維持しながらインクジェットヘッド７２を長手方向（図８における紙面を貫く方向）に移動させることで、インクジェットヘッド７２のノズル面７２Ａの全面にわたって洗浄液が塗布される。
【０１１９】
洗浄液は、ノズル面７２Ａに付着した固化インクを溶解しうる物性を有し、洗浄液保持面２６２Ａに洗浄液のコート層２６１を形成し得る物性を有し、洗浄効果のより高い専用の液体が適用される。例えば、ＤＥＧｍＢＥ（ジエチレングリコールモノブチルエーテル）などの溶剤が含まれている洗浄液を適用可能である。
【０１２０】
≪ノズル面払拭装置の構成≫
図９は、ノズル面払拭装置をメンテナンス位置側から見た側面図である。
【０１２１】
同図に示すように、ノズル面払拭装置２６４は、各インクジェットヘッド７２Ｍ、７２Ｋ、７２Ｃ、７２Ｙに対応して設けられた払拭ユニット３００Ｍ、３００Ｋ、３００Ｃ、３００Ｙと、その払拭ユニット３００Ｍ、３００Ｋ、３００Ｃ、３００Ｙがセットされる払拭装置本体フレーム３０２とで構成されている。
【０１２２】
（払拭装置本体フレームの構成）
払拭装置本体フレーム３０２は、水平に設置されており、図示しない昇降装置によって昇降自在に設けられている。この払拭装置本体フレーム３０２は、上端部が開口した箱状に形成されており、その内部に各払拭ユニット３００Ｍ、３００Ｋ、３００Ｃ、３００Ｙを装着するための払拭ユニット装着部３０４Ｍ、３０４Ｋ、３０４Ｃ、３０４Ｙが形成されている。
【０１２３】
払拭ユニット装着部３０４Ｍ、３０４Ｋ、３０４Ｃ、３０４Ｙは、払拭ユニット３００Ｍ、３００Ｋ、３００Ｃ、３００Ｙを収容可能な空間として形成されており、上部が開口して形成されている。各払拭ユニット３００Ｍ、３００Ｋ、３００Ｃ、３００Ｙは、各払拭ユニット装着部３０４Ｍ、３０４Ｋ、３０４Ｃ、３０４Ｙの上部開口部から鉛直下向きに差し込むことにより、各払拭ユニット装着部３０４Ｍ、３０４Ｋ、３０４Ｃ、３０４Ｙにセットされる。
【０１２４】
なお、各払拭ユニット装着部３０４Ｍ、３０４Ｋ、３０４Ｃ、３０４Ｙには、図示しないロック機構が備えられ、装着された払拭ユニット３００Ｍ、３００Ｋ、３００Ｃ、３００Ｙをロックできるように構成される。ロック機構は、たとえば、払拭ユニット３００Ｍ、３００Ｋ、３００Ｃ、３００Ｙを払拭ユニット装着部３０４Ｍ、３０４Ｋ、３０４Ｃ、３０４Ｙに差し込むと、自動的に作動するように構成される。
【０１２５】
＜払拭ユニットの構成＞
次に、払拭ユニット３００Ｍ、３００Ｋ、３００Ｃ、３００Ｙの構成について説明する。
【０１２６】
なお、各払拭ユニット３００Ｍ、３００Ｋ、３００Ｃ、３００Ｙの基本構成は共通しているので、ここでは払拭ユニット３００として、その構成を説明する。払拭ユニット装着部３０４Ｍ、３０４Ｋ、３０４Ｃ、３０４Ｙについても同様であり、払拭ユニット装着部３０４として説明する。
【０１２７】
図１０は払拭ユニットの平面図、図１１は払拭ユニットの正面部分断面図である。
【０１２８】
図１０、１１に示すように、払拭ユニット３００は、傾斜して設置された押圧ローラ３１８に帯状に形成された払拭ウエブ（払拭部材）３１０を巻き掛け、この押圧ローラ３１８に巻き掛けた払拭ウエブ３１０をインクジェットヘッドのノズル面に押圧当接させることにより、インクジェットヘッドのノズル面を払拭清掃する。
【０１２９】
この払拭ユニット３００は、ケース３１２と、帯状に形成された払拭ウエブ３１０を繰り出す繰出軸３１４と、払拭ウエブ３１０を巻き取る巻取軸３１６と、繰出軸３１４から繰り出された払拭ウエブ３１０が押圧ローラ３１８に巻き掛けられるようにガイドする前段ガイド３２０と、押圧ローラ３１８に巻き掛けられた払拭ウエブ３１０が巻取軸３１６に巻き取られるようにガイドする後段ガイド３２２と、払拭ウエブ３１０を搬送するグリッドローラ（駆動ローラ）３２４とを備えて構成される。
【０１３０】
なお、払拭ウエブ３１０には、たとえば、ＰＥＴ、ＰＥ、ＮＹ、アクリル等の極微細繊維を用いた編みまたは織りからなるシートが用いられ、払拭対象とするヘッドのノズル面の幅に対応した幅を有する帯状に形成される。
【０１３１】
押圧ローラ３１８は、繰出軸３１４の上方に配置されており（本例では、押圧ローラ３１８と繰出軸３１４と巻取軸３１６とが同一直線上に配置されている。）、水平面に対して所定角度傾斜して配置されている。すなわち、この押圧ローラ３１８は、払拭ウエブ３１０をインクジェットヘッド７２のノズル面７２Ａに押圧当接させるものであるため、払拭対象とするインクジェットヘッド７２のノズル面７２Ａの傾きに合わせて傾けて配置されている（ノズル面と平行になるように配置されている）。
【０１３２】
前段ガイド３２０は、第１前段ガイド３６０と、第２前段ガイド３６２とで構成され、繰出軸３１４から繰り出された払拭ウエブ３１０が、傾斜して設置された押圧ローラ３１８に巻き掛けられるようにガイドする。
【０１３３】
一方、後段ガイド３２２は、第１後段ガイド３６４と、第２後段ガイド３６６とで構成され、傾斜して設置された押圧ローラ３１８に巻き掛けられた払拭ウエブ３１０が、水平に設置された巻取軸３１６に巻き取れるようにガイドする。
【０１３４】
この前段ガイド３２０と後段ガイド３２２は、押圧ローラ３１８を挟んで対称に配置されている。すなわち、第１前段ガイド３６０と第１後段ガイド３６４とが押圧ローラ３１８を挟んで対称に配置されるとともに、第２前段ガイド３６２と第２後段ガイド３６６とが押圧ローラ３１８を挟んで対称に配置されている。
【０１３５】
第１前段ガイド３６０は、所定の幅を有する板状に形成されており、昇降ステージ３７０の上に垂直に立設されている。この第１前段ガイド３６０は、上縁部３６０Ａが、払拭ウエブ３１０の巻き掛け部として形成されており、その表面が円弧状に形成されている。また、この上縁部３６０Ａは、水平面に対して所定角度傾斜して形成されており、これにより、払拭ウエブ３１０の走行方向が変換される。
【０１３６】
第１後段ガイド３６４は、第１前段ガイド３６０と同じ構成である。すなわち、所定の幅を有する板状に形成されており、昇降ステージ３７０の上に垂直に立設されている。そして、その上縁部３６４Ａが、払拭ウエブ３１０の巻き掛け部として形成され、円弧状に形成されるとともに、水平面に対して所定角度傾斜して形成されている。
【０１３７】
この第１前段ガイド３６０と第１後段ガイド３６４とが、押圧ローラ３１８を挟んで対称に配置されている。繰出軸３１４から繰り出された払拭ウエブ３１０は、第１前段ガイド３６０に巻き掛けられることにより、繰出軸３１４と直交する方向から押圧ローラ３１８と略直交する方向に方向転換される。また、後述する第２後段ガイド３６６に巻き掛けられた払拭ウエブ３１０は、第１後段ガイド３６４に巻き掛けられることにより、巻取軸３１６と直交する方向に方向転換される。
【０１３８】
第２前段ガイド３６２は、両端部にフランジ３６２Ｌ、３６２Ｒを有するガイドローラとして構成されている。この第２前段ガイド３６２は、第１前段ガイド３６０と押圧ローラ３１８との間に配置され、第１前段ガイド３６０に巻き掛けられた払拭ウエブ３１０が、押圧ローラ３１８に巻き掛けられるようにガイドする。すなわち、第１前段ガイド３６０によって押圧ローラ３１８と略直交する方向に方向転換された払拭ウエブ３１０が、押圧ローラ３１８と直交する方向に走行するように、払拭ウエブ３１０の走行方向を微調整する。また、両端のフランジ３６２Ｌ、３６２Ｒによって、払拭ウエブ３１０の斜行を防止する。
【０１３９】
この第２前段ガイド３６２は、一端をブラケット３６８Ａに片持ち支持されて、所定角度傾斜して設けられている。ブラケット３６８Ａは、図１３に示すように、先端が屈曲したプレート状に形成されており、その基端部がケース本体３２６の背面上端部に固定されている。そして、そのケース本体３２６の上端部から上方に向けて垂直に突出して設けられている。第２前段ガイド３６２は、このブラケット３６８Ａの先端の屈曲部に片持ち支持されて回動自在に支持されている。
【０１４０】
第２後段ガイド３６６は、第２前段ガイド３６２と同じ構成である。すなわち、両端部にフランジ３６６Ｌ、３６６Ｒを有するガイドローラとして構成され、一端をブラケット３６８Ｂに片持ち支持されて、所定角度傾斜して設けられている。ブラケット３６８Ｂは、先端が屈曲したプレート状に形成されており、その基端部がケース本体３２６の背面上端部に固定されている。第２後段ガイド３６６は、このブラケット３６８Ｂの先端の屈曲部に片持ち支持されて回動自在に支持されている。
【０１４１】
この第２後段ガイド３６６は、押圧ローラ３１８と第１後段ガイド３６４との間に配置され、押圧ローラ３１８に巻き掛けられた払拭ウエブ３１０が、第１後段ガイド３６４に巻き掛けられるようにガイドする。
【０１４２】
この第２前段ガイド３６２と第２後段ガイド３６６とが、押圧ローラ３１８を挟んで対称に配置されている。第１前段ガイド３６０によって押圧ローラ３１８と略直交する方向に方向転換された払拭ウエブ３１０は、第２前段ガイド３６２に巻き掛けられることにより、押圧ローラ３１８と直交する方向に走行するように、走行方向が微調整される。また、押圧ローラ３１８に巻き掛けられた払拭ウエブ３１０は、第１後段ガイド３６４に巻き掛けられるように、第２後段ガイド３６６によって走行方向が微調整される。そして、第１後段ガイド３６４に巻き掛けられることにより、巻取軸３１６と直交する方向に方向転換される。
【０１４３】
このように、前段ガイド３２０と後段ガイド３２２は、段階的に払拭ウエブ３１０の走行方向を切り換えることにより、払拭ウエブ３１０が、無理なく押圧ローラ３１８に巻き掛けられるようにガイドする。
【符号の説明】
【０１４４】
１０…インクジェット記録装置、１２…給紙部、１４…処理液付与部、１６…描画部、１８…乾燥部、２０…定着部、２２…排出部、２４…記録媒体、７０…描画ドラム、７２…インクジェットヘッド、７２Ａ…ノズル面、７２Ｂ…ヘッドモジュール支持部材（ウイングカバー部）、７３…ノズルプレート、１５１…ノズル、１５２…圧力室、１７４…ノズル領域、１７６…洗浄液保持領域、１７８…溝部、２６０…ノズル面清掃装置、２６２…洗浄液付与装置、２６４…ノズル面払拭装置
【図１】
2013169651.tif 000003
【図２】
2013169651.tif 000004
【図３】
2013169651.tif 000005
【図４】
2013169651.tif 000006
【図５】
2013169651.tif 000007
【図６】
2013169651.tif 000008
【図７】
2013169651.tif 000009
【図８】
2013169651.tif 000010
【図９】
2013169651.tif 000011
【図１０】
2013169651.tif 000012
【図１１】
2013169651.tif 000013